(57)【要約】【課題】個人情報を自動的に入力フォームの所定の領域に入力することができる画像処理装置を提供する。【解決手段】画像処理装置１００は、表示部１２２と、挿入領域設定部３２と、抽出部３４と、画像処理部３６とを備える。表示部は、入力画面を表示する。挿入領域設定部３２は、入力フォーム画像において、ユーザーにより表示部１２２に表示された入力画面の指定された領域に挿入領域を設定する。挿入領域は、入力情報を示す画像を挿入するための領域である。抽出部３４は、証明書画像から個人情報を示す画像を抽出する。証明書画像は、個人情報が記載された記録媒体の画像を示す。画像処理部３６は、個人情報を示す画像を、対応する挿入領域に挿入する。【選択図】図１
2019091984.tif 000002
【特許請求の範囲】
【請求項１】
入力画面を表示する表示部と、
入力フォーム画像において、ユーザーにより前記表示部に表示された前記入力画面の指定された領域に、入力情報を示す画像を挿入するための挿入領域を設定する挿入領域設定部と、
個人情報が記載された記録媒体の画像を示す証明書画像から前記個人情報を示す画像を抽出する抽出部と、
前記個人情報を示す画像を、対応する前記挿入領域に挿入する画像処理部と
を備える、画像処理装置。
【請求項２】
前記個人情報は複数の個人情報項目を含み、
前記複数の個人情報項目のそれぞれに対応付けて、前記証明書画像に含まれる抽出領域を記憶する記憶部をさらに備え、
前記抽出部は、前記抽出領域に基づいて、前記個人情報を示す画像を抽出する、請求項１に記載の画像処理装置。
【請求項３】
前記入力情報は複数の入力情報項目を含み、
前記個人情報項目の名称と前記入力情報項目の名称とは対応しており、
前記記憶部は、前記挿入領域に対応付けた前記入力情報項目の名称と、前記抽出領域に対応付けた前記個人情報項目の名称とを記憶しており、
前記画像処理部は、前記入力情報項目の名称を特定すると、特定した前記入力情報項目の名称に対応する前記個人情報項目の名称と、前記個人情報項目の名称に対応付けられた前記抽出領域とを特定し、特定した前記抽出領域に基づいて抽出された前記個人情報を示す画像を、特定した前記入力情報項目の名称に対応付けられている前記挿入領域に挿入する、請求項２に記載の画像処理装置。
【請求項４】
前記抽出部は、前記個人情報を示す画像として、文字列画像または写真画像を抽出する、請求項１から請求項３のいずれか１項に記載の画像処理装置。
【請求項５】
前記入力フォーム画像が形成された記録媒体から前記入力フォーム画像を読み取る、または、前記証明書画像が形成された記録媒体から前記証明書画像を読み取る画像読取部をさらに備える、請求項１から請求項４に記載の画像処理装置。
【請求項６】
前記個人情報が記載された記録媒体は、免許証、保険証またはパスポートを含む、請求項１から請求項５に記載の画像処理装置。
【発明の詳細な説明】
【技術分野】
【０００１】
本発明は、画像処理装置に関する。
【背景技術】
【０００２】
役所、病院または店舗で提出するような申請書（入力フォーム）には、所定の領域に個人情報を記入する必要がある。個人情報は、例えば、住所、氏名および生年月日である。
【０００３】
特許文献１に記載の画像形成装置では、免許証をスキャンして適宜個人情報をマスキング処理をしたうえで、帳票と合成して個人情報の取り扱いに係るセキュリティーを保持している。
【先行技術文献】
【特許文献】
【０００４】
【特許文献１】特開２００９−１４００２１号公報
【発明の概要】
【発明が解決しようとする課題】
【０００５】
しかしながら、特許文献１に記載の画像形成装置では、マスキング処理がされた免許証を帳票に添付するだけであり、個人情報を入力フォームの所定の領域に入力することができない。したがって、ユーザーは、個人情報を手動で入力フォームの所定の領域に入力する必要がある。
【０００６】
本発明は上記課題に鑑みてなされたものであり、その目的は個人情報を自動的に入力フォームの所定の領域に入力することができる画像処理装置を提供することにある。
【課題を解決するための手段】
【０００７】
本発明に係る画像処理装置は、表示部と、挿入領域設定部と、抽出部と、画像処理部とを備える。前記表示部は、入力画面を表示する。前記挿入領域設定部は、入力フォーム画像において、ユーザーにより前記表示部に表示された前記入力画面の指定された領域に挿入領域を設定する。前記挿入領域は、入力情報を示す画像を挿入するための領域である。前記抽出部は、証明書画像から前記個人情報を示す画像を抽出する。前記証明書画像は、個人情報が記載された記録媒体の画像を示す。前記画像処理部は、前記個人情報を示す画像を、対応する前記挿入領域に挿入する。
【発明の効果】
【０００８】
本発明によれば、個人情報を自動的に入力フォームの所定の領域に入力することができる。
【図面の簡単な説明】
【０００９】
【図１】本発明の実施形態に係る画像処理装置を示す模式図である。
【図２】制御部を示すブロック図である。
【図３】入力フォームを示す模式図である。
【図４】表示部を示す模式図である。
【図５】表示部を示す模式図である。
【図６】表示部を示す模式図である。
【図７】表示部を示す模式図である。
【図８】入力フォーム画像を示す模式図である。
【図９】免許証の模式図である。
【図１０】証明書画像を示す模式図である。
【図１１】自動入力の機能が実行された入力フォーム画像を示す模式図である。
【発明を実施するための形態】
【００１０】
以下、本発明の実施形態について、図面を参照しながら説明する。なお、図中、同一または相当部分については同一の参照符号を付して説明を繰り返さない。
【００１１】
図１を参照して本発明に係る画像処理装置１００の実施形態を説明する。図１は、本発明の実施形態に係る画像処理装置１００を示す模式図である。画像処理装置１００は、例えば、複写機、プリンター、または複合機である。以下では、一例として、画像処理装置１００がプリンター機能と複写機能とファクシミリ機能とを有するモノクロ複合機である場合について説明する。
【００１２】
図１に示すように、画像処理装置１００は、画像読取部１０と、画像形成部２０と、制御部３０と、記憶部４０と、原稿台１２と、原稿搬送装置１１０と、操作パネル１２０と、給紙カセット１３０と、用紙搬送部１４０と、用紙排出部１７０とを備える。
【００１３】
画像読取部１０は、原稿Ｍに形成された画像を読み取り読取画像を取得する。詳しくは、画像読取部１０は、原稿搬送装置１１０によって搬送された原稿Ｍに形成された画像、または、原稿台１２に載置された原稿Ｍに形成された画像を読み取り読取画像を取得する。画像読取部１０は、入力フォーム画像が形成された原稿Ｍ（記録媒体）から入力フォーム画像を読み取る、また、画像読取部１０は、証明書画像が形成された記録媒体から証明書画像を読み取る。入力フォーム画像と証明書画像とについては後述する。
【００１４】
画像形成部２０は、画像読取部１０によって読み取られた読取画像に基づいて被記録媒体Ｐに画像を形成する。
【００１５】
制御部３０は、ＣＰＵ（Ｃｅｎｔｒａｌ  Ｐｒｏｃｅｓｓｉｎｇ  Ｕｎｉｔ）のようなプロセッサー、およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成されるハードウェア回路である。制御部３０は、記憶部４０に記憶された制御プログラムをプロセッサーが読み出して実行することによって、画像処理装置１００の各部の動作を制御する。制御部３０は、ＯＣＲ（Ｏｐｔｉｃａｌ  Ｃｈａｒａｃｔｅｒ  Ｒｅｃｏｇｎｉｔｉｏｎ）機能を有する。ＯＣＲ機能は、読取原稿に形成された画像に含まれる文字（例えば、平仮名、カタカナ、アルファベッド、漢字、数字、記号）を光学的に認識し、文字を文字コードに変換する機能である。
【００１６】
記憶部４０は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）によって構成される。記憶部４０は、外部メモリーを含んでいてもよい。外部メモリーは、リムーバブルメディアである。記憶部４０は、外部メモリーとして、例えば、ＵＳＢ（Ｕｎｉｖｅｒｓａｌ  Ｓｅｒｉａｌ  Ｂｕｓ）メモリー、およびＳＤ（Ｓｅｃｕｒｅ  Ｄｉｇｉｔａｌ）カードを含む。記憶部４０は、各種のデータ、および、画像処理装置１００の各部の動作を制御するための制御プログラムを記憶する。制御プログラムは、制御部３０によって実行される。
【００１７】
操作パネル１２０は、ユーザーに画像処理装置１００を操作させるために用いられる。操作パネル１２０は、表示部１２２を有する。表示部１２２には、ユーザーに画像処理装置１００を操作させるための入力画面が表示される。また、表示部１２２は、挿入領域を設定するための入力画面を表示する。挿入領域の設定については、図６〜図８を参照して後述する。
【００１８】
給紙カセット１３０には、印刷用の被記録媒体Ｐが収容されている。印刷を行う際、給紙カセット１３０内の被記録媒体Ｐは、画像形成部２０を経由して用紙排出部１７０から排出されるように、用紙搬送部１４０によって搬送される。
【００１９】
図１および図２を参照して、制御部３０をさらに説明する。図２は、制御部３０を示すブロック図である。
【００２０】
図２に示すように、制御部３０は、挿入領域設定部３２と、抽出部３４と、画像処理部３６とを有する。挿入領域設定部３２は、入力フォーム画像における所定の領域に、挿入領域を設定する。入力フォーム画像は、入力フォームを示す画像である。入力フォームは、例えば、役所、病院または店舗で提出するような申請書である。入力フォームは複数の入力情報項目を含む。複数の入力情報項目のそれぞれには、入力情報項目に対応した領域に入力情報を示す画像が挿入される。挿入領域は、入力情報を示す画像を挿入するための領域である。入力情報は、例えば、住所、氏名および生年月日のような個人情報である。
【００２１】
抽出部３４は、証明書画像から個人情報を示す画像を抽出する。証明書画像は、個人情報が記載された記録媒体の画像を示す。個人情報が記載された記録媒体は、例えば、免許証、保険証またはパスポートである。抽出部３４は、個人情報を示す画像として、文字列画像または写真画像を抽出する。文字列画像は、文字列を含む画像である。写真画像は、例えば、個人を示す証明写真である。抽出部３４は、ＯＣＲ機能を有する。抽出部３４は、ＯＣＲ機能によって、文字列画像に含まれる文字列を抽出する。
【００２２】
画像処理部３６は、抽出部３４が抽出した個人情報を示す画像を、対応する挿入領域に挿入する。
【００２３】
以上、図１および図２を参照して説明したように、画像処理部３６は、抽出部３４が抽出した個人情報を示す画像を、対応する挿入領域に挿入する。したがって、個人情報を自動的に入力フォームの所定の領域に入力することができる。
【００２４】
図１〜図１１を参照して、画像処理部３６の入力フォームへの自動入力についてさらに説明する。本明細書において、入力フォームへの自動入力の機能を、「ＡｕｔｏＦｉｌｌ  Ｆｏｒｍ」と記載することがある。
【００２５】
まず、図３を参照して入力フォームＭ１について説明する。図３は、入力フォームＭ１を示す模式図である。
【００２６】
図３に示すように、入力フォームＭ１は、複数の入力情報項目を含む。複数の入力情報項目は、入力情報項目２１１〜２１８、２２０を含む。入力情報項目２１１〜２１８、２２０は、例えば、個人情報に関する項目である。例えば、入力情報項目２１１は、「Ｆｉｒｓｔ  ｎａｍｅ」であり、入力情報項目２１２は、「Ｍｉｄｄｌｅ  ｎａｍｅ」であり、入力情報項目２１３は、「Ｌａｓｔ  ｎａｍｅ」である。入力情報項目２２０には、個人を示す証明写真が入力される。
【００２７】
続いて、図４〜図８を参照して、挿入領域の設定について説明する。図４〜図７は、表示部１２２を示す模式図である。図８は、入力フォーム画像Ｇ１を示す模式図である。まず、図４を参照して機能選択画面２３０について説明する。図４に示すように、「ＡｕｔｏＦｉｌｌ  Ｆｏｒｍ」の機能が選択されると、制御部３０は、表示部１２２に機能選択画面２３０を表示させる。機能選択画面２３０は、機能項目ボタン２３２、２３４、および２３６と、Ｅｘｉｔボタン２３８とを含む。機能項目ボタン２３２には、「ＡｕｔｏＦｉｌｌ  Ｆｏｒｍ  Ｐｒｉｎｔ」が割り付けられている。機能項目ボタン２３４には、「ＡｕｔｏＦｉｌｌ  Ｆｏｒｍ  Ｓａｖｅ」が割り付けられている。機能項目ボタン２３６には、「ＡｕｔｏＦｉｌｌ  Ｆｏｒｍ  Ｓｅｔｔｉｎｇｓ」が割り付けられている。
【００２８】
ユーザーが各機能項目ボタンを接触操作することによって、機能項目ボタンに割り付けられた項目の機能を実行するための画面が表示される。例えば、ユーザーが、機能項目ボタン２３６を接触操作することによって、「ＡｕｔｏＦｉｌｌ  Ｆｏｒｍ  Ｓｅｔｔｉｎｇｓ」を実行するための画面が表示される。
【００２９】
Ｅｘｉｔボタン２３８は、「ＡｕｔｏＦｉｌｌ  Ｆｏｒｍ」の機能を終了するためのボタンである。
【００３０】
続いて、図５を参照して、「ＡｕｔｏＦｉｌｌ  Ｆｏｒｍ」の設定画面２４０について説明する。機能選択画面２３０（図４参照）が表示されている状態から、ユーザーの機能項目ボタン２３６の接触操作に応じて、設定画面２４０が表示部１２２に表示される。
【００３１】
図５に示すように、設定画面２４０は、入力フォーム画像設定部２５０と、証明書画像設定部２６０と、Ｅｘｉｔボタン２７０とを含む。
【００３２】
入力フォーム画像設定部２５０は、新規登録ボタン２５２と、修正ボタン２５４とを含む。新規登録ボタン２５２は、入力フォームのテンプレートを新たに登録するためのボタンである。修正ボタン２５４は、既に登録されている入力フォームを修正するためのボタンである。
【００３３】
証明書画像設定部２６０は、新規登録ボタン２６２と、修正ボタン２６４とを含む。新規登録ボタン２６２は、証明書画像の座標情報を新たに登録するためのボタンである。修正ボタン２６４は、既に登録されている証明書画像の座標情報を修正するためのボタンである。
【００３４】
Ｅｘｉｔボタン２７０は、設定画面２４０の表示を終了するためのボタンである。
【００３５】
続いて、図６〜図８を参照して、挿入領域３２０の設定について説明する。図６は、挿入領域３２０を入力するための設定画面２８０を示す。以下、入力情報項目「Ｎａｔｉｏｎａｌｉｔｙ」の挿入領域３２０を設定する場合について説明する。
【００３６】
図６に示すように、設定画面２８０は、スキャンボタン２７２と、挿入領域設定ボタン２７４と、Ｓａｖｅボタン２７６と、Ｃａｎｃｅｌボタン２７８と、プレビュー画像表示部２９０とを有する。
【００３７】
スキャンボタン２７２は、入力フォームＭ１をスキャンするためのボタンである。例えば、入力フォームＭ１をスキャンする場合、ユーザーＨ１が原稿台１２（図１参照）に入力フォームＭ１を載置する。そして、ユーザーＨ１がスキャンボタン２７２を接触操作することによって、入力フォームＭ１を示す入力フォーム画像が画像読取部１０によって読み取られる。
【００３８】
挿入領域設定ボタン２７４は、挿入領域３２０を設定するためのボタンである。ユーザーＨ１が挿入領域設定ボタン２７４を接触操作することによって、プレビュー画像表示部２９０に表示されたプレビュー画像２９６を用いて挿入領域３２０を設定することができる。
【００３９】
Ｓａｖｅボタン２７６は、挿入領域３２０の設定を保存するためのボタンである。Ｃａｎｃｅｌボタン２７８は、挿入領域３２０の設定をキャンセルするためのボタンである。
【００４０】
プレビュー画像表示部２９０には、プレビュー画像２９６が表示される。プレビュー画像２９６は、証明写真入力部画像２９２と、入力情報項目画像２９４とを含む。
【００４１】
挿入領域設定部３２は、ユーザーＨ１によって指定された領域に基づいて挿入領域３２０を設定する。例えば、ユーザーＨ１がプレビュー画像２９６に対してドラック操作をする（指でなぞる）ことによって、挿入領域３２０を指定する。そして、挿入領域設定部３２は、ユーザーＨ１によって指定された領域の座標を判定し、記憶部４０に記憶させる。
【００４２】
ユーザーＨ１がドラック操作した指を表示部１２２から離すと、図７に示すように、挿入領域設定部３２は、項目名設定画面３００を表示部１２２に表示させる。項目名設定画面３００は、項目名入力部３０２と、ＯＫボタン３０４と、Ｃａｎｃｅｌボタン３０６とを含む。
【００４３】
項目名入力部３０２には、ユーザーＨ１によって挿入領域３２０に対応する入力情報項目の名称が入力される。例えば、項目名入力部３０２がユーザーＨ１によって接触操作されると、挿入領域設定部３２は、項目名入力部３０２に入力情報項目の名称を入力するための、ソフトウェアキーボードを表示する。ユーザーＨ１がソフトウェアキーボードを操作し文字を入力することによって、項目名入力部３０２に入力情報項目の名称が入力される。
【００４４】
ＯＫボタン３０４は、項目名入力部３０２に入力された入力情報項目の名称を確定するためのボタンである。ユーザーが項目名入力部３０２を接触操作することによって、挿入領域設定部３２は、挿入領域３２０に対応付けて項目名入力部３０２に入力された入力情報項目の名称を記憶部４０に記憶させる。
【００４５】
Ｃａｎｃｅｌボタン３０６は、項目名入力部３０２への入力情報項目の名称の入力をキャンセルするためのボタンである。
【００４６】
複数の入力情報項目のそれぞれに対して、挿入領域３２０と入力情報項目の名称とをユーザーが指定することによって、図８に示すように、挿入領域設定部３２は、複数の入力情報項目の各々について、挿入領域３２１〜３２８が設定される。また、挿入領域設定部３２は、複数の入力情報項目の各々について、入力情報の名称と挿入領域３２０とを関連付けて記憶部４０に記憶させる。
【００４７】
図８は、挿入領域が設定された入力フォーム画像Ｇ１を示す模式図である。図８に示すように、入力フォーム画像Ｇ１は、挿入領域３２１〜３２８、３３０を含む。図８に示すように、挿入領域設定部３２は、複数の入力情報項目のそれぞれに対して、挿入領域３２１〜３２８、３３０を設定する。詳しくは、挿入領域３２１〜３２８、３３０は、図３に示す入力情報項目２１１〜２１８、２２０に対応する。挿入領域３２１〜３２８、３３０は、図７および図８を参照して説明したように、例えば、ユーザーがプレビュー画像２９６に対してドラック操作をする（指でなぞる）ことによって、挿入領域３２０が設定される。
【００４８】
続いて、図９および図１０を参照して、抽出領域の設定について説明する。図９は、免許証Ｍ２の模式図である。免許証Ｍ２は、「個人情報が記憶された記録媒体」の一例である。免許証Ｍ２には、その一方の主面に、個人情報を示す個人情報画像４１１〜４２０、４３０、４３２が印刷されている。具体的には、個人情報画像４１１は、「免許証番号」を示す画像である。個人情報画像４１２は、「免許証の発行日」を示す画像である。個人情報画像４１３は、「誕生日」を示す画像である。個人情報画像４１４は、「Ｌａｓｔ  Ｎａｍｅ」を示す画像である。個人情報画像４１５は、「Ｆｉｒｓｔ  Ｎａｍｅ」を示す画像である。個人情報画像４１６は、「住所」を示す画像である。個人情報画像４１７は、「身長」を示す画像である。個人情報画像４１８は、「性別」を示す画像である。個人情報画像４１９は、「目の色」を示す画像である。個人情報画像４２０は、「国籍」を示す画像である。個人情報画像４３０は、「証明写真」を示す画像である。個人情報画像４３２は、「サイン」を示す画像である。このように、個人情報は、複数の個人情報項目を含んでいる。
【００４９】
続いて、図１０を参照する。図１０は、証明書画像Ｇ２を示す模式図である。証明書画像Ｇ２は、図９に示す免許証Ｍ２をスキャンした画像である。図１０に示すように、証明書画像Ｇ２は、個人情報画像５１１〜５２０、５３０、５３２を含む。個人情報画像５１１〜５２０、５３０、５３２は、図９に示した個人情報画像４１１〜４２０、４３０、４３２に対応する。
【００５０】
新たな証明書画像Ｇ２を登録する場合、図５に示した設定画面２４０の新規登録ボタン２６２を接触操作することによって抽出領域Ｒを設定する。詳しくは、個人情報画像５１１〜５２０、５３０、５３２のそれぞれに抽出領域Ｒの座標情報を設定する。
【００５１】
設定された抽出領域Ｒは、記憶部４０に記憶される。詳しくは、記憶部４０は、複数の個人情報項目のそれぞれに対応付けて、証明書画像Ｇ２に含まれる抽出領域を記憶している。記憶部４０は、例えば、「Ｌａｓｔ  Ｎａｍｅ」の個人情報項目に対応付けて、抽出領域Ｒを記憶している。詳しくは、記憶部４０は、「Ｌａｓｔ  Ｎａｍｅ」の個人情報項目に対応づけて、抽出領域Ｒの左上の座標および右下の座標を記憶している。例えば、記憶部４０は、「Ｌａｓｔ  Ｎａｍｅ」の項目に対応づけて、抽出領域Ｒの左上の座標「Ｘ１＝６０、Ｙ１＝５０」および抽出領域Ｒの右下の座標「Ｘ２＝７０、Ｙ２＝５２」を記憶している。
【００５２】
入力フォーム画像への個人情報の自動入力をする際、抽出部３４は、抽出領域Ｒに基づいて、個人情報を示す画像を抽出する。例えば、抽出部３４は、抽出領域Ｒに含まれる画像を抽出する。そして、抽出部３４は、ＯＣＲ処理によって抽出された画像に含まれる文字列を抽出する。例えば、抽出部３４は、抽出領域Ｒに基づいて、「Ｌａｓｔ  Ｎａｍｅ」を示す文字列「ＳＡＭＰＬＥ」を抽出する。同様に、抽出部３４は、個人情報画像５１１〜５２０、５３０、５３２から対応する抽出領域Ｒに基づいて個人情報を示す画像を抽出する。
【００５３】
以上、図９および図１０を参照して説明したように、入力フォーム画像への個人情報の自動入力をする際、抽出部３４によって、証明書画像Ｇ２に含まれる個人情報を示す画像が抽出される。
【００５４】
図１１を参照して、入力フォーム画像への個人情報の自動入力の方法について説明する。図１１は、自動入力の機能が実行された入力フォーム画像Ｇ３を示す模式図である。
【００５５】
ユーザーが登録されている入力フォームの中から、所望の入力フォームを選択する。そして、動作モードを選択する。詳しくは、ユーザーが自動入力後の入力フォームを印刷したい場合は、機能選択画面２３０（図４参照）が表示されている状態から、ユーザーの機能項目ボタン２３２を押下する。あるいは、ユーザーが自動入力後の入力フォームを保存したい場合は、機能選択画面２３０（図４参照）が表示されている状態から、ユーザーの機能項目ボタン２３４を押下する。
【００５６】
そして、ユーザーが免許証をスキャンすることによって、図９および図１０を参照して説明したように、抽出部３４は、抽出領域Ｒに基づいて個人情報を示す画像を抽出する。
【００５７】
そして、画像処理部３６は、抽出部３４が抽出した個人情報を示す画像を、対応する挿入領域に挿入する。例えば、図１１に示すように、画像処理部３６は、抽出部３４が抽出した個人情報を示す画像「ＳＡＭＰＬＥ」を「Ｌａｓｔ  Ｎａｍｅ」に対応付けられた挿入領域３２３に挿入する。
【００５８】
記憶部４０は、挿入領域に対応付けた入力情報項目の名称を記憶している。また、抽出領域に対応付けた個人情報項目の名称を記憶している。個人情報項目の名称と入力情報項目の名称とは対応している。画像処理部３６は、入力情報項目の名称（「Ｌａｓｔ  Ｎａｍｅ」）を特定すると、特定した入力情報項目の名称に対応する個人情報項目の名称（「Ｌａｓｔ  Ｎａｍｅ」）を特定する。そして、特定した個人情報項目の名称に対応付けられた抽出領域を特定する。そして、特定した抽出領域に基づいて抽出された個人情報を、特定した入力情報項目の名称に対応付けられている挿入領域に挿入する。したがって、証明書画像（免許証）から抽出された個人情報が、対応する挿入領域に挿入される、詳しくは、個人情報を示すが画像６０２、６０４、６０６、６０８、６１０、６１２、６１４が、対応する挿入領域３２１、３２３、３２４、３２５、３２７、３２８、３３０に挿入される。なお、挿入領域３２２、３２６には、対応する個人情報を示す画像が抽出されなかったため空欄となっている。また、挿入領域３３０に挿入される個人情報を示す画像６１４は写真画像である。個人情報を示す画像６１４（写真画像）は、挿入領域３３０の大きさにあわせて、大きさを変更して挿入されることが好ましい。
【００５９】
以上、図面（図１〜図１１）を参照しながら本発明の実施形態を説明した。但し、本発明は、上記の実施形態に限られるものではなく、その要旨を逸脱しない範囲で種々の態様において実施することが可能である（例えば、下記に示す（１）〜（４））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６０】
（１）本発明の実施形態では、画像処理装置１００は、画像読取部１０を備えていたが本発明はこれに限定されない。画像処理装置１００は、画像読取部１０を備えていなくてもよい。例えば、カードスキャナーのような外付けのスキャナーを用いて入力フォーム画像と証明書画像とを読み取ってもよい。
【００６１】
（２）本発明の実施形態では、画像処理装置１００が複合機であったが、画像処理装置１００は、印刷機、コピー機、またはスキャナーであってもよい。
【００６２】
（３）本発明の実施形態では、画像処理装置１００がモノクロ機であったが、画像処理装置１００は、カラーであってもよい。
【００６３】
（４）本発明の実施形態では、画像処理装置１００が電子写真方式の画像処理装置１００であったが、画像処理装置１００は、インクジェット方式の画像処理装置であってもよい。具体的には、記録ヘッドからシートにインクを吐出して画像を記録してもよい。
【符号の説明】
【００６４】
１０    画像読取部
２０    画像形成部
３０    制御部
３２    挿入領域設定部
３４    抽出部
３６    画像処理部
４０    記憶部
１００  画像処理装置
１２２  表示部
３２０、３２１、３２２、３２３、３２４、３２５、３２６、３２７、３２８、３３０  挿入領域
６０２、６０４、６０６、６０８、６１０、６１２、６１４  個人情報を示す画像
Ｒ      抽出領域
【図１】
2019091984.tif 000003
【図２】
2019091984.tif 000004
【図３】
2019091984.tif 000005
【図４】
2019091984.tif 000006
【図５】
2019091984.tif 000007
【図６】
2019091984.tif 000008
【図７】
2019091984.tif 000009
【図８】
2019091984.tif 000010
【図９】
2019091984.tif 000011
【図１０】
2019091984.tif 000012
【図１１】
2019091984.tif 000013